(57)【要約】      （修正有）【課題】レンズ径全体の小型化を達成しつつ、望遠端における最至近距離の撮像時の、撮像倍率を増大しつつも最至近の撮像の色収差や像面湾曲などの諸収差を良好に補正することが出来るズームレンズを提供する。【解決手段】物体側より像側へ順に配置された負の屈折力の第１レンズ群Ｂ１、正の屈折力の第２レンズ群Ｌｐａ，１つ以上のレンズを含む後群ＬＲより構成され、前記後群ＬＲは最も像側に正の屈折力の最終レンズ群Ｌｐｂを有し、ズーミングに際して隣り合うレンズ群の間隔が変化するズームレンズにおいて、望遠端において、最至近距離（第１撮像状態）よりも更に短い最至近距離（第２撮像状態）へのフォーカシングに際して前記第２レンズ群Ｌｐａレンズは像側へ移動し、前記最終レンズ群Ｌｐｂは物体側へ移動すること。【選択図】図１
2020003631.tif 000002
【特許請求の範囲】
【請求項１】
物体側より像側へ順に配置された、負の屈折力の第１レンズ群、正の屈折力の第２レンズ群、１つ以上のレンズを含む後群より構成され、ズーミングに際して隣り合うレンズ群の間隔が変化するズームレンズにおいて、
前記後群は最も像側に配置された正の屈折力の最終レンズ群を有し、
望遠端において、無限遠よりも近い至近距離よりも更に短い最至近距離へのフォーカシングに際して前記第２レンズ群は像側へ移動し、前記最終レンズ群は物体側へ移動することを特徴とするズームレンズ。
【請求項２】
無限遠から前記至近距離までのフォーカシングに際して、
前記第２レンズ群は不動であり、前記最終レンズ群は物体側に移動することを特徴とする請求項１に記載のズームレンズ。
【請求項３】
望遠端における前記第２レンズ群と前記最終レンズ群の光軸上の間隔をＤＰｔ、望遠端におけるレンズ全長をＴＤｔとするとき、
０．２８＜ＤＰｔ／ＴＤｔ＜０．９２
なる条件式を満足することを特徴とする請求項１または２に記載のズ−ムレンズ。
【請求項４】
前記第２レンズ群の焦点距離をｆＰａ、望遠端における前記ズームレンズの焦点距離をｆｔとするとき、
０．３７＜ｆＰａ／ｆｔ＜１．１１
なる条件式を満足することを特徴とする請求項１乃至３のいずれか１項に記載のズ−ムレンズ。
【請求項５】
前記最終レンズ群の焦点距離をｆＰｂ、望遠端における前記ズームレンズの焦点距離をｆｔとするとき、
０．５９＜ｆＰｂ／ｆｔ＜１．９４
なる条件式を満足することを特徴とする請求項１乃至４のいずれか１項に記載のズ−ムレンズ。
【請求項６】
望遠端における最至近距離に合焦時の横倍率をβｔとするとき、
−０．８２＜βｔ＜−０．１６
なる条件式を満足することを特徴とする請求項１乃至５のいずれか１項に記載のズ−ムレンズ。
【請求項７】
望遠端において無限遠合焦時のバックフォーカスをＢｆｔ、望遠端におけるレンズ全長をＴＤｔとするとき、
０．０３＜Ｂｆｔ／ＴＤｔ＜０．２３
なる条件式を満足することを特徴とする請求項１乃至６のいずれか１項に記載のズ−ムレンズ。
【請求項８】
ズーミングに際して前記第２レンズ群と前記最終レンズ群は移動し、無限遠の合焦時において広角端から望遠端へのズーミングに伴う前記第２レンズ群の移動量をＭＰＡ、無限遠の合焦時において広角端から望遠端へのズーミングに伴う前記最終レンズ群の移動量をＭＰＢとし、移動量の符号を広角端に比べて望遠端においてレンズ群が像側に位置するときを正、物体側に位置するときを負とするとき
３．９６＜ＭＰＡ／｜ＭＰＢ｜＜７１．１７
なる条件式を満足することを特徴とする請求項１乃至７のいずれか１項に記載のズ−ムレンズ。
【請求項９】
前記第２レンズ群の焦点距離をｆＰａ、前記第２レンズ群は１つ以上の接合レンズを含み、前記１つ以上の接合レンズのうち最も像側に配置された接合レンズの焦点距離をｆＰａｂｉｍｇとするとき、
０．３０＜｜ｆＰａｂｉｍｇ｜／ｆＰａ＜５３３．２７
なる条件式を満足することを特徴とする請求項１乃至８のいずれか１項に記載のズ−ムレンズ。
【請求項１０】
望遠端において無限遠から最至近距離の合焦までの前記第２レンズ群の移動量をＭＰａｔ、望遠端において無限遠から最至近距離の合焦までの前記最終レンズ群の移動量ＭＰｂｔ、移動量の符号は無限遠から最至近距離への合焦に際して物体側へ移動するときを正、像側へ移動するときを負とするとき、
−６５．５９＜ＭＰａｔ／ＭＰｂｔ＜−１．０３
なる条件式を満足することを特徴とする請求項１乃至９のいずれか１項に記載のズ−ムレンズ。
【請求項１１】
フォーカシングに際して前記第１レンズ群は移動し、望遠端において無限遠から最至近距離の合焦までの前記第１レンズ群の移動量をＭｎｌｔ、望遠端において無限遠から最至近距離の合焦までの前記最終レンズ群の移動量ＭＰｂｔ、移動量の符号は無限遠から最至近距離への合焦に際して物体側へ移動するときを正、像側へ移動するときを負とするとき、
０．００＜｜Ｍｎ１ｔ｜／ＭＰｂｔ＜１２．６５
なる条件式を満足することを特徴とする請求項１乃至１０のいずれか１項に記載のズ−ムレンズ。
【請求項１２】
望遠端における最至近距離に合焦時の前記第１レンズ群と前記第２レンズ群の間隔をＤ１２ｔｍ、望遠端における最至近距離に合焦時の前記最終レンズ群の最も物体側のレンズ面から像面までの光軸上の長さをＴＤｔｍＰｂとするとき、
０．４３＜Ｄ１２ｔｍ／ＴＤｔｍＰｂ＜１．７３
なる条件式を満足することを特徴とする請求項１乃至１１のいずれか１項に記載のズ−ムレンズ。
【請求項１３】
望遠端において無限遠に合焦時の前記第２レンズ群の横倍率をβｐａｔとするとき、
−３．３３＜βＰａｔ＜−１．０４
なる条件式を満足することを特徴とする請求項１乃至１２のいずれか１項に記載のズ−ムレンズ。
【請求項１４】
前記後群は、前記最終レンズ群より構成されることを特徴とする請求項１乃至１３のいずれか１項に記載のズームレンズ。
【請求項１５】
無限遠から前記至近距離へのフォーカシングに際して、前記第１レンズ群が移動することを特徴とする請求項１４に記載のズームレンズ。
【請求項１６】
前記後群は、正の屈折力の第３レンズ群と、該第３レンズ群の像側に配置された前記最終レンズ群より構成されることを特徴とする請求項１乃至１３のいずれか１項に記載のズームレンズ。
【請求項１７】
無限遠から前記至近距離へのフォーカシングに際して、前記第１レンズ群と前記第３レンズ群が移動することを特徴とする請求項１６に記載のズームレンズ。
【請求項１８】
請求項１乃至１７のいずれか１項に記載のズームレンズと、該ズームレンズによって形成された像を受光する撮像素子を有することを特徴とする請求項１乃至１４のいずれか１項に記載の撮像装置。
【発明の詳細な説明】
【技術分野】
【０００１】
本発明はズ−ムレンズに関し、例えばデジタルスチルカメラ、ビデオカメラ、監視カメラ、放送用カメラ等の撮像装置に用いる撮像光学系として好適なものである。
【背景技術】
【０００２】
近年、固体撮像素子を用いた撮像装置は、高機能化され、又装置全体が小型化されている。そして、それに用いる撮像光学系は全体が小型であることが要望されている。更に、望遠端において至近距離よりも更に距離の短い最至近での撮像時（マクロ撮像時）に、撮像倍率を増大しつつも最至近での撮像時の色収差や像面湾曲などの諸収差を良好に補正した高い光学性能を有するズ−ムレンズであること等が要求されている。
【０００３】
これらの要求を満足するズ−ムレンズとして、物体側より像側へ順に負の屈折力のレンズ群、正の屈折力のレンズ群を有するズ−ムレンズが知られている（特許文献１）。
【先行技術文献】
【特許文献】
【０００４】
【特許文献１】特開２０１７−０９０６８６号公報
【発明の概要】
【発明が解決しようとする課題】
【０００５】
ズームレンズにおいて、全ズーム範囲および物体距離全般（全フォーカス範囲）において高い光学性能を得るためには、ズームレンズを構成する各レンズ群のパワーやレンズ構成、ズーム方式やフォーカシング方式等を適切に設定する必要がある。
【０００６】
一般に、撮像可能な物体距離を短くし、撮像倍率を大きくしようとすると、フォーカシングに際して収差変動が増大し、光学性能が低下しやすくなる。また、フォーカスレンズ群の移動量が大きくなって、ズームレンズが大型化する等の問題が生じてくる。例えばズームレンズとして最も像側に配置されている負の屈折力のレンズ群の屈折力が強すぎると、広角端における射出瞳位置が像面に近づきすぎると、撮像素子（固体撮像素子）に対応可能な範囲のテレセントリック性を確保することが困難となる。
【０００７】
また、最も物体側に配置されている正の屈折力のレンズ群の屈折力が弱すぎると、最至近の撮像距離を短縮しようとするとフォーカスレンズの、フォーカシングに際しての移動量が増加してズームレンズ全体が大型化してくる。
【０００８】
本発明は、ズームレンズ全体の小型化を達成しつつ、望遠端における最至近距離の撮像時の、撮像倍率を増大しつつも最至近の撮像時の色収差や像面湾曲などの諸収差を良好に補正することが出来るズームレンズ及び、それを有する撮像装置の提供を目的とする。
【課題を解決するための手段】
【０００９】
本発明のズームレンズは、物体側より像側へ順に配置された負の屈折力の第１レンズ群、正の屈折力の第２レンズ群、１つ以上のレンズを含む後群より構成され、前記後群は最も像側に正の屈折力の最終レンズ群を有し、ズーミングに際して隣り合うレンズ群の間隔が変化するズームレンズにおいて、
望遠端において、至近距離（第１撮像状態）よりも更に短い最至近距離（第２撮像状態）へのフォーカシングに際して前記第２レンズ群は像側へ移動し、前記最終レンズ群は物体側へ移動することを特徴としている。
【発明の効果】
【００１０】
本発明によれば、ズームレンズ全体の小型化を達成しつつ、望遠端における最至近距離の撮像時の、撮像倍率を増大しつつも最至近の撮像時の色収差や像面湾曲などの諸収差を良好に補正することが出来るズームレンズ及び、それを有する撮像装置が得られる。
【図面の簡単な説明】
【００１１】
【図１】（Ａ）、（Ｂ）、（Ｃ）は実施例１のズ−ムレンズの広角端と、望遠端における無限遠のフォーカス状態と望遠端における最至近（第２の撮像状態）のフォーカス状態のレンズ断面図である。
【図２】（Ａ）、（Ｂ）、（Ｃ）は、実施例１のズ−ムレンズの広角端、中間のレンズ位置、望遠端の無限遠のフォーカス状態の諸収差図である。
【図３】（Ａ）、（Ｂ）、（Ｃ）は、実施例１のズ−ムレンズの広角端の至近（第１の撮像状態）、中間ズーム位置の至近、望遠端の至近の諸収差である。
【図４】は実施例１のズ−ムレンズの望遠端の最至近（第２の撮像状態）の諸収差である。
【図５】（Ａ）、（Ｂ）、（Ｃ）は実施例２のズ−ムレンズの広角端と、望遠端における無限遠のフォーカス状態と望遠端における最至近（第２の撮像状態）のフォーカス状態のレンズ断面図である。
【図６】（Ａ）、（Ｂ）、（Ｃ）は、実施例２のズ−ムレンズの広角端、中間のレンズ位置、望遠端の無限遠のフォーカス状態の諸収差図である。
【図７】（Ａ）、（Ｂ）、（Ｃ）は、実施例２のズ−ムレンズの広角端の至近（第１の撮像状態）、中間ズーム位置の至近、望遠端の至近の諸収差である。
【図８】は実施例２のズ−ムレンズの望遠端の最至近（第２の撮像状態）の諸収差である。
【図９】（Ａ）、（Ｂ）、（Ｃ）は実施例３のズ−ムレンズの広角端と、望遠端における無限遠のフォーカス状態と望遠端における最至近（第２の撮像状態）のフォーカス状態のレンズ断面図である。
【図１０】（Ａ）、（Ｂ）、（Ｃ）は、実施例３のズ−ムレンズの広角端、中間のレンズ位置、望遠端の無限遠のフォーカス状態の諸収差図である。
【図１１】（Ａ）、（Ｂ）、（Ｃ）は、実施例３のズ−ムレンズの広角端の至近（第１の撮像状態）、中間ズーム位置の至近、望遠端の至近の諸収差である。
【図１２】実施例３のズ−ムレンズの望遠端の最至近（第２の撮像状態）の諸収差である。
【図１３】（Ａ）、（Ｂ）、（Ｃ）は実施例４のズ−ムレンズの広角端と、望遠端における無限遠のフォーカス状態と望遠端における最至近（第２の撮像状態）のフォーカス状態のレンズ断面図である。
【図１４】（Ａ）、（Ｂ）、（Ｃ）は、実施例４のズ−ムレンズの広角端、中間のレンズ位置、望遠端の無限遠のフォーカス状態の諸収差図である。
【図１５】（Ａ）、（Ｂ）、（Ｃ）は、実施例４のズ−ムレンズの広角端の至近（第１の撮像状態）、中間ズーム位置の至近、望遠端の至近の諸収差である。
【図１６】は実施例４のズ−ムレンズの望遠端の最至近（第２の撮像状態）の諸収差である。
【図１７】（Ａ）、（Ｂ）、（Ｃ）は実施例５のズ−ムレンズの広角端、望遠端における無限遠のフォーカス状態と望遠端における最至近（第２の撮像状態）のフォーカス状態のレンズ断面図である。
【図１８】（Ａ）、（Ｂ）、（Ｃ）は、実施例５のズ−ムレンズの広角端、中間のレンズ位置、望遠端の無限遠のフォーカス状態の諸収差図である。
【図１９】（Ａ）、（Ｂ）、（Ｃ）は、実施例５のズ−ムレンズの広角端の至近（第１の撮像状態）、中間ズーム位置の至近、望遠端の至近の諸収差である。
【図２０】は実施例５のズ−ムレンズの望遠端の最至近（第２の撮像状態）の諸収差である。
【図２１】（Ａ）、（Ｂ）、（Ｃ）は実施例６のズ−ムレンズの広角端と、望遠端における無限遠のフォーカス状態と望遠端における最至近（第２の撮像状態）のフォーカス状態のレンズ断面図である。
【図２２】（Ａ）、（Ｂ）、（Ｃ）は、実施例６のズ−ムレンズの広角端、中間のレンズ位置、望遠端の無限遠のフォーカス状態の諸収差図である。
【図２３】（Ａ）、（Ｂ）、（Ｃ）は、実施例６のズ−ムレンズの広角端の至近（第１の撮像状態）、中間ズーム位置の至近、望遠端の至近の諸収差である。
【図２４】は実施例６のズ−ムレンズの望遠端の最至近（第２の撮像状態）の諸収差である。
【図２５】本発明の撮像装置の要部概略図である。
【発明を実施するための形態】
【００１２】
以下に、本発明の好ましい実施の形態を、添付の図面に基づいて詳細に説明する。
【００１３】
本発明のズームレンズは、物体側より像側へ順に配置された、負の屈折力の第１レンズ群、正の屈折力の第２レンズ群、１つ以上のレンズ群を含む後群より構成されている。
【００１４】
ズーミングに際して隣り合うレンズ群の間隔が変化する。そして、後群は最も像側に配置された正の屈折力の最終レンズ群を有する。
【００１５】
望遠端において、至近距離（第１撮像状態）よりも更に短い最至近距離（第２撮像状態）へのフォーカシングに際して第２レンズ群は像側へ移動、最終レンズ群は物体側へ移動する。ここで望遠端において至近距離とは撮像倍率−０．０２〜０．０３程度をいう。また、望遠端において最至近距離とは撮像倍率−０．２４〜０．５５程度をいう。
【００１６】
図１（Ａ）、（Ｂ）、（Ｃ）は実施例１のズ−ムレンズの広角端、望遠端における無限遠のフォーカス状態と望遠端における最至近（第２の撮像状態）のフォーカス状態のレンズ断面図である。
【００１７】
図２（Ａ）、（Ｂ）、（Ｃ）は、実施例１のズ−ムレンズの広角端、中間のレンズ位置、望遠端の無限遠のフォーカス状態の諸収差図である。
【００１８】
図３（Ａ）、（Ｂ）、（Ｃ）は、実施例１のズ−ムレンズの広角端の至近（第１の撮像状態）（撮像倍率−０．００９）、中間ズーム位置の至近（撮像倍率−０．０１６）、望遠端の至近（撮像倍率−０．０２４）の諸収差である。
【００１９】
図４は実施例１のズ−ムレンズの望遠端の最至近（第２の撮像状態）の（撮像倍率−０．３８０）諸収差である。
【００２０】
図５（Ａ）、（Ｂ）、（Ｃ）は実施例２のズ−ムレンズの広角端と、望遠端における無限遠のフォーカス状態と望遠端における最至近（第２の撮像状態）のフォーカス状態のレンズ断面図である。
【００２１】
図６（Ａ）、（Ｂ）、（Ｃ）は、実施例２のズ−ムレンズの広角端、中間のレンズ位置、望遠端の無限遠のフォーカス状態の諸収差図である。
【００２２】
図７（Ａ）、（Ｂ）、（Ｃ）は、実施例２のズ−ムレンズの広角端の至近（第１の撮像状態）（撮像倍率−０．００９）、中間ズーム位置の至近（撮像倍率−０．０１６）、望遠端の至近（撮像倍率−０．０２５）の諸収差である。
【００２３】
図８は実施例２のズ−ムレンズの望遠端の最至近（第２の撮像状態）の（撮像倍率−０．４０６）諸収差である。
【００２４】
図９（Ａ）、（Ｂ）、（Ｃ）は実施例３のズ−ムレンズの広角端と、望遠端における無限遠のフォーカス状態と望遠端における最至近（第２の撮像状態）のフォーカス状態のレンズ断面図である。
【００２５】
図１０（Ａ）、（Ｂ）、（Ｃ）は、実施例３のズ−ムレンズの広角端、中間のレンズ位置、望遠端の無限遠のフォーカス状態の諸収差図である。
【００２６】
図１１（Ａ）、（Ｂ）、（Ｃ）は、実施例３のズ−ムレンズの広角端の至近（第１の撮像状態）（撮像倍率−０．００９）、中間ズーム位置の至近（撮像倍率−０．０１５）、望遠端の至近（撮像倍率−０．０２４）の諸収差である。
【００２７】
図１２は実施例３のズ−ムレンズの望遠端の最至近（第２の撮像状態）の（撮像倍率−０．５２５）諸収差である。
【００２８】
図１３（Ａ）、（Ｂ）、（Ｃ）は実施例４のズ−ムレンズの広角端と、望遠端における無限遠のフォーカス状態と望遠端における最至近（第２の撮像状態）のフォーカス状態のレンズ断面図である。
【００２９】
図１４（Ａ）、（Ｂ）、（Ｃ）は、実施例４のズ−ムレンズの広角端、中間のレンズ位置、望遠端の無限遠のフォーカス状態の諸収差図である。
【００３０】
図１５（Ａ）、（Ｂ）、（Ｃ）は、実施例４のズ−ムレンズの広角端の至近（第１の撮像状態）（撮像倍率−０．００９）、中間ズーム位置の至近（撮像倍率−０．０１６）、望遠端の至近（撮像倍率−０．０２５）の諸収差である。
【００３１】
図１６は実施例４のズ−ムレンズの望遠端の最至近（第２の撮像状態）の（撮像倍率−０．３８０）諸収差である。
【００３２】
図１７（Ａ）、（Ｂ）、（Ｃ）は実施例５のズ−ムレンズの広角端、望遠端における無限遠のフォーカス状態と望遠端における最至近（第２の撮像状態）のフォーカス状態のレンズ断面図である。
【００３３】
図１８（Ａ）、（Ｂ）、（Ｃ）は、実施例５のズ−ムレンズの広角端、中間のレンズ位置、望遠端の無限遠のフォーカス状態の諸収差図である。
【００３４】
図１９（Ａ）、（Ｂ）、（Ｃ）は、実施例５のズ−ムレンズの広角端の至近（第１の撮像状態）（撮像倍率−０．００９）、中間ズーム位置の至近（撮像倍率−０．０１６）、望遠端の至近（撮像倍率−０．０２４）の諸収差である。
【００３５】
図２０は実施例５のズ−ムレンズの望遠端の最至近（第２の撮像状態）の（撮像倍率−０．２５０）諸収差である。
【００３６】
図２１（Ａ）、（Ｂ）、（Ｃ）は実施例６のズ−ムレンズの広角端と、望遠端における無限遠のフォーカス状態と望遠端における最至近（第２の撮像状態）のフォーカス状態のレンズ断面図である。
【００３７】
図２２（Ａ）、（Ｂ）、（Ｃ）は、実施例６のズ−ムレンズの広角端、中間のレンズ位置、望遠端の無限遠のフォーカス状態の諸収差図である。
【００３８】
図２３（Ａ）、（Ｂ）、（Ｃ）は、実施例６のズ−ムレンズの広角端の至近（第１の撮像状態）（撮像倍率−０．００９）、中間ズーム位置の至近（撮像倍率−０．０１６）、望遠端の至近（撮像倍率−０．０２４）の諸収差である。
【００３９】
図２４は実施例６のズ−ムレンズの望遠端の最至近（第２の撮像状態）の（撮像倍率−０．２７０）諸収差である。
【００４０】
図２５は本発明の撮像装置の要部概略図である。
【００４１】
実施例１乃至５のレンズ断面図において、Ｂ１は負の屈折力の第１レンズ群、ＬＰａは正の屈折力の第２レンズ群、ＬＲは後群である。後群ＬＲは、正の屈折力の最終レンズ群（第３レンズ群）より構成されている。ＳＰは開口絞りである。
【００４２】
実施例６のレンズ断面図において、Ｂ１は負の屈折力の第１レンズ群、ＬＰａは正の屈折力の第２レンズ群、ＬＲは後群である。後群ＬＲは、正の屈折力の第３レンズ群、正の屈折力の最終レンズ群（第４レンズ群）より構成されている。ＳＰは開口絞りである。
【００４３】
レンズ断面において実線の矢印は広角端から望遠端へのズーミングにおけるレンズ群の移動軌跡を示している。
【００４４】
実施例１乃至６では、広角端から望遠端へのズーミングに際し、各レンズ群の間隔が変化するように移動する。具体的には、矢印のように、第１レンズ群Ｂ１を物体側に移動し、第２レンズ群ＬＰａが物体側に移動することによって主に変倍を行い、最終レンズ群ＬＰｂが移動することによって変倍に伴う像面変動を補正している。
【００４５】
ＧＢは光学フィルター、フェースプレート、水晶ローパスフィルター、赤外カットフィルター等に相当する光学ブロックである。ＩＰは像面であり、ビデオカメラやデジタルスチルカメラの撮像光学系として使用する際にはＣＣＤセンサやＣＭＯＳセンサ等の撮像素子（光電変換素子）の撮像面が置かれる。
【００４６】
実施例１乃至６において、無限遠から至近距離（第１物体距離）に合焦するまでのフォーカシングに際して第２レンズ群ＬＰａは不動で最終レンズ群ＬＰｂが移動することにより行っている。さらに、実施例１乃至６では、望遠端では、至近距離よりもさらに近距離に合焦可能な構成としている。
【００４７】
具体的には、実施例１、５において、望遠端において、至近距離から最至近距離（第２物体距離）に合焦するまでのフォーカシングは、第１レンズ群Ｂ１および第２レンズ群ＬＰａが像側に移動し、最終レンズ群ＬＰｂが物体側に移動することにより行っている。実施例４において、望遠端において、至近距離から最至近距離に合焦するまでのフォーカシングは、第２レンズ群Ｌｐａが像側に移動し、第１レンズ群Ｂ１および最終レンズ群ＬＰｂが物体側に移動することにより行っている。
【００４８】
実施例２、３において、望遠端において、至近距離から最至近距離に合焦するまでのフォーカシングは、第２レンズ群ＬＰａが像側に移動し、最終レンズ群ＬＰｂが物体側に移動することにより行っている。実施例６において、望遠端において、至近距離から最至近距離に合焦するまでのフォーカシングは、第１レンズ群Ｂ１と第２レンズ群ＬＰａと第３レンズ群Ｂ３が像側に移動し、最終レンズ群ＬＰｂが物体側に移動することにより行っている。
【００４９】
このように、実施例１乃至６のズームレンズは、望遠端において、至近距離から最至近距離に合焦するまでのフォーカシングは、少なくとも第２レンズ群ＬＰａが像側に移動し、最終レンズ群Ｌｐｂが物体側に移動することにより行っている。なお、実施例１乃至６において、望遠端は、同一物体距離において最大撮影倍率を実現する焦点距離（ズーム位置）である。
【００５０】
レンズ断面において、実線の矢印Ｆａは無限遠に合焦したときに広角端から望遠端へのズーミングにおけるレンズ群の移動軌跡を示している。点線の矢印Ｆｂは至近距離に合焦したときで広角端から望遠端へのズーミングにおけるレンズ群の移動軌跡を示している。矢印Ｆｃは望遠端において無限遠から至近距離へのフォーカシングに際しての移動方向を示している。
【００５１】
収差図のうち球面収差において、実線のｄはｄ線（波長５８７．６ｎｍ）、２点鎖線のｇはｇ線（波長４３５．８ｎｍ）ある。非点収差図において点線のＭはｄ線のメリディオナル像面、実線のＳはｄ線のサジタル像面である。倍率色収差はｄ線に対するｇ線によって表している。ωは半画角（撮像画角の半分の値）（度）、ＦｎｏはＦメンバーである。
【００５２】
各実施例における各レンズ群内のレンズ構成について説明する。以下各レンズ群に含まれるレンズは物体側から像側へ順に配置されているものとする。
【００５３】
実施例１乃至６において、第１レンズ群Ｂ１は負レンズと正レンズからなる。これにより広角端において倍率色収差を軽減しつつ、少ない数のレンズ枚数として第１レンズ群Ｂ１の小型化を図っている。
【００５４】
実施例１、２、４乃至６において、第２レンズ群ＬＰａは正レンズ、正レンズと負レンズを接合した接合レンズ、負レンズと正レンズを接合した接合レンズにより構成している。これによって、第２レンズ群ＬＰａと最終レンズ群ＬＰｂの主点間隔を小さくすることで第２レンズ群ＬＰａ以降の望遠端における第１レンズ面から像面までの光軸上の長さ（レンズ全長）を短縮している。
【００５５】
実施例３において、第２レンズ群ＬＰａは正レンズ、正レンズと負レンズを接合した接合レンズ、負レンズにより構成している。これによって、第２レンズ群ＬＰａと最終レンズ群ＬＰｂの主点間隔を小さくすることで第２レンズ群ＬＰａ以降の望遠端における第１レンズ面から像面までの光軸上の長さを短縮している。
【００５６】
実施例１乃至６において、最終レンズ群ＬＰｂは正レンズにより構成している。これによって、少ないレンズ枚数で軸上光束を効率よく収束させて、広角端におけるレンズ全長の短縮を図っている。
【００５７】
各実施例のズームレンズは、全体の小型化を達成しつつ、望遠端において、最至近距離（第２の撮像状態）の撮像時に、撮像倍率を増大しつつも最至近距離において色収差や像面湾曲などの諸収差を良好に補正している。
【００５８】
各実施例のズームレンズは、物体側より像側へ順に配置された負の屈折力の第１レンズ群Ｂ１、正の屈折力の第２レンズ群ＬＰａ、後群ＬＲを有する。後群ＬＲは最も像側に正の屈折力の最終レンズ群ＬＰｂ有する。このような構成により、前玉有効径の小型化を図りつつ、広角端において倍率色収差及びコマ収差を良好に補正している。
【００５９】
さらには、後群ＬＲは最も像側に正の屈折力の最終レンズ群ＬＰｂ有する構成とすることで、ズーム全域の像面湾曲、倍率色収差を良好に補正している。また、各レンズ群のレンズ径の増大を抑制している。
【００６０】
そして、望遠端において最至近距離へのフォーカシングに際して、第２レンズ群ＬＰａは像側に移動、後群ＬＲに含まれる最も像側の最終レンズ群ＬＰｂは物体側へ移動している。そうすることで、最終レンズ群ＬＰｂよりも物体側のレンズ群の屈折力を強めつつ、ズーム全域の像面湾曲を良好に補正している。更に、撮像倍率を増大しつつも最至近の撮像時の色収差や像面湾曲などを良好に補正している。
【００６１】
各実施例においては、次の条件式のうち１つ以上を満足するのが良い。
【００６２】
０．２８＜ＤＰｔ／ＴＤｔ＜０．９２                ・・・（１）
０．３７＜ｆＰａ／ｆｔ＜１．１１                  ・・・（２）
０．５９＜ｆＰｂ／ｆｔ＜１．９４                  ・・・（３）
−０．８２＜βｔ＜−０．１６                      ・・・（４）
０．０３＜Ｂｆｔ／ＴＤｔ＜０．２３                ・・・（５）
３．９６＜ＭＰＡ／｜ＭＰＢ｜＜７１．１７          ・・・（６）
０．３０＜｜ｆＰａｂｉｍｇ｜／ｆＰａ＜５３３．２７・・・（７）
−６５．５９＜ＭＰａｔ／ＭＰｂｔ＜−１．０３      ・・・（８）
０．００＜｜Ｍｎ１ｔ｜／ＭＰｂｔ＜１２．６５      ・・・（９）
０．４３＜Ｄ１２ｔｍ／ＴＤｔｍＰｂ＜１．７３      ・・・（１０）
−３．３３＜βＰａｔ＜−１．０４                  ・・・（１１）
望遠端における第２レンズ群ＬＰａと最終レンズ群ＬＰｂの光軸上の間隔をＤＰｔとする。望遠端におけるレンズ全長をＴＤｔとする。
【００６３】
第２レンズ群ＬＰａの焦点距離をｆＰａとする。望遠端におけるズームレンズの焦点距離をｆｔとする。
【００６４】
最終レンズ群ＬＰｂの焦点距離をｆＰｂとする。望遠端において最至近距離に合焦時の横倍率をβｔとする。望遠端においていて無限遠合焦時のバックフォーカスをＢｆｔとする。
【００６５】
ズーミングに際して第２レンズ群ＬＰａと最終レンズ群ＬＰｂは移動し、無限遠の合焦時において広角端から望遠端へのズーミングに伴う第２レンズ群ＬＰａの移動量をＭＰＡとする。無限遠の合焦時において広角端から望遠端へのズーミングに伴う前記最終レンズ群Ｌｐｂの移動量をＭＰＢとする。
【００６６】
ここでズーミングに伴うレンズ群の移動量の符号は、広角端に比べて望遠端においてレンズ群が像側に位置するときを正、物体側の位置するときを負とする。
【００６７】
第２レンズ群ＬＰａは１つ以上の接合レンズを含み、１つ以上の接合レンズのうち最も像側に配置された接合レンズの焦点距離をｆＰａｂｉｍｇとする。
【００６８】
望遠端において無限遠から最至近距離の合焦までの第２レンズ群ＬＰａの移動量をＭＰａｔとする。望遠端において無限遠から最至近距離の合焦までの最終レンズ群ＬＰｂの移動量ＭＰｂｔとする。
【００６９】
フォーカシングに伴うレンズ群の移動量の符号は無限遠から最至近距離への合焦に際して物体側へ移動するときを正、像側へ移動するときを負とする。フォーカシングに際して第１レンズ群Ｂ１は移動し、望遠端において無限遠から最至近距離の合焦までの第１レンズ群の移動量をＭｎｌｔとする。
【００７０】
望遠端において最至近距離に合焦時の第１レンズ群Ｂ１と第２レンズ群ＬＰａの間隔をＤ１２ｔｍとする。望遠端において最至近距離に合焦時の最終レンズ群ＬＰｂの最も物体側のレンズ面から像面までの光軸上の長さをＴＤｔｍＰｂとする。望遠端において無限遠に合焦時の第２レンズ群ＬＰａの横倍率をβｐａｔとする。
【００７１】
条件式（１）は第２レンズ群ＬＰａと最終レンズ群ＬＰｂのレンズ間隔と望遠端における第１レンズ面から像面までの光軸上の長さの（レンズ全長）比を適切に設定している。
【００７２】
尚、レンズ全長とは第１レンズ面から最終レンズ面までの光軸上の距離に空気換算でのバックフォーカスの長さを加えた値である。条件式（１）の上限値を超えると、第２レンズ群ＬＰａと最終レンズ群ＬＰｂの間隔が長くなりすぎてしまい、望遠端においてレンズ全長が増大してくる。もしくは、望遠端において第２レンズ群ＬＰａにおける第１レンズ面から像面までの光軸上の長さが短くなりすぎてしまい、所望のズーム比を得るのが困難になる。この他、ズーム全域において像面湾曲、コマ収差、倍率色収差の補正が困難となる。
【００７３】
また、下限値を超えると、第２レンズ群ＬＰａと最終レンズ群ＬＰｂの間隔が短くなりすぎてしまい、望遠端において最至近距離の撮像時に、所望に撮像倍率を確保することが困難となる。
【００７４】
条件式（２）は第２レンズ群ＬＰａの焦点距離と望遠端におけるズームレンズの焦点距離の比を適切に設定している。条件式（２）の上限を超えて第２レンズ群ＬＰａの正の焦点距離が長くなりすぎると、高ズーム比化するために、第１レンズ群Ｂ１と第２レンズ群ＬＰａの間隔の変化量を増大しなければならず、広角端におけるレンズ全長が増大してくる。また、下限値を超えて、第２レンズ群ＬＰａの焦点距離が短くなりすぎると、全ズーム範囲において像面湾曲、コマ収差が増大し、これらの諸収差の補正が困難となる。
【００７５】
条件式（３）は最終レンズ群ＬＰｂの焦点距離と望遠端におけるズームレンズの焦点距離の比を適切に設定している。条件式（３）の下限を超えて最終レンズ群ＬＰｂの焦点距離が短くなりすぎると、最至近の撮像時において倍率色収差、コマ収差、像面湾曲が増大し、これらの諸収差の補正が困難となる。また、上限値を超えて、最終レンズ群ＬＰｂの焦点距離が長くなりすぎると、高ズーム比化するために、第２レンズ群ＬＰａと最終レンズ群ＬＰｂの間隔変化量を増大しなければならず、広角端におけるレンズ全長が増大してくる。
【００７６】
条件式（４）は望遠端における最至近での撮像時の横倍率を適切に設定している。条件式（４）の上限を超えると最至近での撮像時における最大の撮像倍率が低くなりすぎてしまい所望の撮像倍率を確保することが困難となる。条件式（４）の下限を超えると最至近での撮像時における諸収差が増大するので良くない。
【００７７】
条件式（５）は望遠端におけるバックフォーカスと望遠端におけるレンズ全長の比を適切に設定している。条件式（５）の上限を超えてバックフォーカスが長くなりすぎると、望遠端におけるレンズ全長を短縮することが困難となる。また、下限値を超えて、望遠端におけるバックフォーカスが短くなりすぎると、最終レンズ面の像側に光学フィルター等の光学部材を配置することが困難となる。
【００７８】
条件式（６）はレンズ群Ｐａ群ＬＰａとレンズ群Ｐｂ群ＬＰｂのズーミングに伴う移動量の比に関する。条件式（６）の上限を超えると第２レンズ群ＬＰａの正の焦点距離が長くなりすぎて、高ズーム比化するために、第１レンズ群Ｂ１と第２レンズ群ＬＰａの間隔変化量を増大しなければならない。そうすると、広角端におけるレンズ全長が増大してくる。また、下限値を超えると、第２レンズ群ＬＰａの正の焦点距離が短くなりすぎて、全ズーム範囲において像面湾曲、コマ収差が増大し、これらの諸収差の補正が困難となる。
【００７９】
条件式（７）は、第２レンズ群ＬＰａ内の最も像側に配置された接合レンズＧＲ２ｂの屈折力に関し、主に色収差を良好に補正するためのものである。条件式（７）の下限値を下回ると、接合レンズＧＲ２ｂの正の屈折力が強まり、ズーミングに際して色収差の変動を抑えるのが困難となる。一方、条件式（７）の上限値を上回ると、接合レンズＧＲ２ｂの正の屈折力が弱まり、広角側において色収差やコマ収差の補正が困難となる。
【００８０】
条件式（８）は望遠端における無限遠から最至近距離までの第２レンズ群ＬＰａと最終レンズ群ＬＰｂの移動量の比を適切に設定している。条件式（８）の上限を超えて第２レンズ群ＬＰａの移動量が短くなりすぎると、最至近の撮像時で所望の撮像倍率を確保することが困難となる。また、下限値を超えて、第２レンズ群ＬＰａの移動量が長くなりすぎると、望遠端におけるレンズ全長の短縮化が困難となる。
【００８１】
条件式（９）は望遠端における無限遠から最至近の撮像時までの第１レンズ群Ｂ１の移動量と望遠端における無限遠から最至近での撮像時までの最終レンズ群ＬＰｂの移動量の比を適切に設定している。条件式（９）の上限を超えて最終レンズ群ＬＰｂの移動量が短くなりすぎると、最至近での撮像時の所望の撮像倍率を確保することが困難となる。第１レンズ群Ｂ１はフォーカシングに際して移動するため条件式（９）の下限値を超えることはない。
【００８２】
条件式（１０）は望遠端において最至近での第１レンズ群Ｂ１と第２レンズ群ＬＰａの間隔と最至近での最終レンズ群ＬＰｂの第１レンズ面から像面までの長さの比に関する。条件式（１０）の上限値を超えると、望遠端においてレンズ全長の長さを抑制することが困難となる。もしくは、望遠端におけるレンズ全長が小さくなりすぎてしまい、所望のズーム比を得るためには、最も物体側のレンズ群の屈折力を強くする必要がある。そうすると、ズーム全域における像面湾曲、コマ収差、倍率色収差の補正が困難となる。
【００８３】
また、下限値を超えると、望遠端における最至近での撮像時に、所望の撮像倍率を確保することが困難となる。
【００８４】
条件式（１１）は望遠端における無限遠に合焦時での第２レンズ群ＬＰａの横倍率を適切に設定している。条件式（１１）の下限を超えると最至近での撮像時における最大撮像倍率が低くなりすぎてしまい所望の撮像倍率を確保することが困難となる。条件式（１１）の上限値を超えると
以上のように各実施例によれば、全系の小型化を維持しつつ更に望遠端における最至近の撮像時に、撮像倍率の増大しつつも最至近のフォーカス状態の撮像時の色収差や像面湾曲などを良好に補正している。
【００８５】
更に好ましくは、各条件式の数値範囲を次の如く設定するのが良い。
【００８６】
０．３４＜ＤＰｔ／ＴＤｔ＜０．７４                    ・・・（１ａ）
０．４６＜ｆＰａ／ｆｔ＜０．８９                      ・・・（２ａ）
０．７３＜ｆＰｂ／ｆｔ＜１．５５                      ・・・（３ａ）
−０．６６＜βｔ＜−０．２０                          ・・・（４ａ）
０．０４＜Ｂｆｔ／ＴＤｔ＜０．１９                    ・・・（５ａ）
４．９５＜ＭＰＡ／｜ＭＰＢ｜＜５６．９３              ・・・（６ａ）
１．６３＜｜ｆＰａｂｉｍｇ｜／ｆＰａ＜４２６．６２    ・・・（７ａ）
−５２．４７＜ＭＰａｔ／ＭＰｂｔ＜−１．２９          ・・・（８ａ）
０．００＜｜Ｍｎ１ｔ｜／ＭＰｂｔ＜１０．１２          ・・・（９ａ）
０．５６＜Ｄ１２ｔｍ／ＴＤｔｍＰｂ＜１．３８          ・・・（１０ａ）
−２．６６＜βＰａｔ＜−１．３０                      ・・・（１１ａ）
更に好ましくは、各条件式（１ａ）乃至（１１ａ）の数値範囲を次の如く設定するのが良い。
【００８７】
０．４２＜ＤＰｔ／ＴＤｔ＜０．６０                  ・・・（１ｂ）
０．５７＜ｆＰａ／ｆｔ＜０．７３                    ・・・（２ｂ）
０．９１＜ｆＰｂ／ｆｔ＜１．２３                    ・・・（３ｂ）
−０．５３＜βｔ＜−０．２４                        ・・・（４ｂ）
０．０６＜Ｂｆｔ／ＴＤｔ＜０．１５                  ・・・（５ｂ）
６．１８＜ＭＰＡ／｜ＭＰＢ｜＜４６．００            ・・・（６ｂ）
１．８０＜｜ｆＰａｂｉｍｇ｜／ｆＰａ＜３４１．３０  ・・・（７ｂ）
−４１．９９＜ＭＰａｔ／ＭＰｂｔ＜−１．６１        ・・・（８ｂ）
０．０００＜｜Ｍｎ１ｔ｜／ＭＰｂｔ＜８．１０        ・・・（９ｂ）
０．７０＜Ｄ１２ｔｍ／ＴＤｔｍＰｂ＜１．２３        ・・・（１０ｂ）
−２．１４＜βＰａｔ＜−１．６２                    ・・・（１１ｂ）
次に本発明のズームレンズを撮像光学系として用いたデジタルカメラ（光学機器）の実施形態を、図２５を用いて説明する。図２５において、１０はデジタルカメラ本体、１１は上述の各実施例のズームレンズによって構成された撮像光学系、１２は撮像光学系１１によって被写体像を受光するＣＣＤ等の撮像素子、１３は撮像素子１２が受光した被写体像を記録する記録手段である。１４は不図示の表示素子に表示された被写体像を観察するためのファインダーである。
【００８８】
上記表示素子は液晶パネル等によって構成され、撮像素子１２上に形成された被写体像が表示される。１４はファインダーと同等の機能を有する液晶表示パネルである。
【００８９】
このように本発明のズームレンズをデジタルカメラ等の撮像装置に適用することにより、小型で高い光学性能を有する撮像装置を実現している。
【００９０】
次に材料の、本発明の実施例１乃至６に対応する数値データ１乃至６を示す。各数値データにおいて、ｉは物体側からの面の順序を示し、ｒｉはレンズ面の曲率半径、ｄｉは第ｉ面と第ｉ＋１面との間のレンズ肉厚および空気間隔、ｎｄｉ、νｄｉはそれぞれｄ線に対する材料の屈折率、アッベ数を示す。
【００９１】
また、最も像側の２面はフェースプレート等のガラス材である。また、ｋは円錐定数、Ａ４、Ａ６、Ａ８、Ａ１０、Ａ１２は非球面係数である。非球面形状は光軸からの高さｈの位置での光軸方向の変位を面頂点を基準にしてｘとするとき、
ｘ＝（ｈ２／Ｒ）／［１＋｛１−（１＋ｋ）（ｈ／Ｒ）２｝１／２］＋Ａ４ｈ４＋Ａ６ｈ６
＋Ａ８ｈ８＋Ａ１０ｈ１０＋Ａ１２ｈ１２
で表される。但しＲは近軸曲率半径である。
【００９２】
なお、数値の「ｅ±ＸＸ」は「×１０±ＸＸ」を意味している。また、各光学面の間隔ｄが（可変）となっている部分は、ズーミングに際して変化するものであり、別表に焦点距離に応じた面間隔を記している。レンズ全長は第１レンズ面から最終レンズ面までの光軸上の距離である。ＢＦはバックフォーカスであり最終レンズ面から像面までの空気換算での長さである。尚、以下に記載する数値データ１乃至６のレンズデータに基づく、各条件式の計算結果を表１に示す。
【００９３】
数値データ１
単位 mm
面データ
面番号       r        d      nd         vd                             
1*      1101.964    1.00   1.85135    40.1           
2*         9.027    3.24                             
3         16.127    1.82   1.95906    17.5           
4         30.751  (可変)                             
5(絞り)    ∞       0.00                             
6*        12.977    2.24   1.76802    49.2           
7*       -99.747    0.20                             
8         14.429    2.93   1.95375    32.3           
9        -11.556    0.45   1.76182    26.5           
10          7.462    1.47                             
11        -33.914    0.45   1.72342    38.0           
12         10.238    2.34   1.49700    81.6           
13        -12.301  (可変)                                                        
14         41.829    2.45   1.85135    40.1           
15*       -54.697  (可変)                             
16          ∞       1.09   1.51633    64.1           
17          ∞       1.91                          
像面        ∞   
非球面データ
第1面
K = 0.00000e+000  A 4=-1.57675e-004  A 6= 3.07660e-006  A 8=-3.63685e-008  A10= 2.06624e-010  A12=-4.08858e-013  
第2面
K =-9.85516e-001  A 4=-1.04938e-004  A 6= 1.43946e-006  A 8= 3.45726e-008  A10=-1.12538e-009  A12= 8.15093e-012  
第6面
K = 2.46279e-002  A 4=-2.85208e-005  A 6=-6.04121e-007  A 8= 6.01622e-008  A10=-3.06153e-010  
第7面
K = 0.00000e+000  A 4= 1.62440e-004  A 6=-1.44732e-006  A 8= 2.04238e-007  A10=-5.20968e-009  A12= 6.65182e-011  
第15面
K = 0.00000e+000  A 4= 4.97709e-005  A 6=-7.81827e-007  A 8= 7.12654e-009  A10=-2.82620e-011  
各種データ
ズーム比      3.03 
焦点距離       9.06    16.79    25.70    
Fナンバー      2.06     4.50     5.00     
画角          36.01    25.19    17.09    
像高           6.59     7.90     7.90     
レンズ全長      42.93    43.64    49.99    
BF(in air)     6.73     5.65     5.23        
d 4           16.13     6.51     2.29      
d13            8.21    18.54    29.02   
d15            4.10     3.02     2.60     
ズームレンズ群データ
群  始面    焦点距離  
1    1     -17.50  
2    5      15.71  
3   14      28.17  
（物体距離が近接撮像時（第１のフォーカス状態）
d 4           16.13     6.51     2.29    
d13            8.03    17.89    27.52    
d15            4.27     3.67     4.09    
（物体距離が近接撮像時（第２のフォーカス状態）
d 4            ----     ----     9.78  
d13            ----     ----    17.52  
d15            ----     ----     6.59  
数値データ２
単位 mm
面データ
面番号       r        d      nd         vd                            
1*      -112.220    1.00   1.85135    40.1           
2*        10.110    2.91                             
3         15.687    1.85   1.92286    18.9           
4         32.853  (可変)                             
5(絞り)    ∞       0.01                             
6*        10.233    2.82   1.85135    40.1           
7*       -53.781    0.20                             
8         17.965    1.88   1.76385    48.5           
9        -45.018    0.45   1.85478    24.8           
10          7.257    1.99                             
11        -11.784    0.45   1.66565    35.6           
12         62.874    1.91   1.80400    46.6           
13        -11.157     (可変)                                                      
14         45.393    2.91   1.59201    67.0           
15*       -31.458  (可変)                             
16          ∞       1.09   1.51633    64.1           
17          ∞     1.91                            
像面        ∞   
非球面データ
第1面
K = 0.00000e+000  A 4= 6.64308e-005  A 6=-1.64370e-006  A 8= 1.95751e-008  A10=-1.03749e-010  A12= 1.56656e-013  
第2面
K = 1.40746e-002  A 4=-1.57325e-005  A 6=-9.68458e-007  A 8=-4.36827e-008  A10= 1.03328e-009  A12=-8.12524e-012  
第6面
K =-1.41473e-001  A 4=-6.75474e-005  A 6=-1.42825e-008  A 8= 5.67423e-010  
第7面
K = 0.00000e+000  A 4= 1.13564e-004  A 6=-1.66377e-007  
第15面
K = 0.00000e+000  A 4= 4.11700e-005  A 6=-2.61806e-007  A 8=-1.51522e-010  A10= 1.18658e-011  
各種データ
ズーム比      3.02 
焦点距離       9.06    16.79    25.95    
Fナンバー     2.06     4.50     5.00     
画角          36.01    25.20    16.93    
像高           6.59     7.90     7.90     
レンズ全長      41.56    43.07    49.70   
BF             8.56     6.66     5.39     
d 4           16.89     6.82     2.29    
d13            6.29    17.87    29.07    
d15            5.93     4.03     2.76     
ズームレンズ群データ
群  始面    焦点距離  
1    1     -18.70  
2    5      16.64  
3   14      31.83  
（物体距離が近接撮像時（第１のフォーカス状態）
d 4           16.89     6.82     2.29    
d13            6.13    17.23    27.42    
d15            6.09     4.68     4.40       
（物体距離が近接撮像時（第２のフォーカス状態）
d 4            ----     ----    13.41  
d13            ----     ----    12.31  
d15            ----     ----     8.39  
数値データ３
単位 mm
面データ
面番号       r        d      nd         vd                           
1*       -63.970    1.00   1.72916    54.7           
2*         9.180    3.84                             
3         18.781    1.74   1.99446    23.9           
4         39.499  (可変)                             
5(絞り)    ∞       0.00                                                         
6*         8.306    3.26   1.71701    55.3           
7*       -60.038    0.25                             
8         30.003    2.15   1.72916    54.7           
9        -17.243    0.50   1.67818    26.9           
10         10.264    3.07                                                         
11         -8.276    0.70   1.98495    27.3           
12*        -9.799  (可変)                             
13*        36.281    2.43   1.95375    32.3           
14*       -70.666  (可変)                             
15          ∞       1.09   1.51633    64.1           
16          ∞       1.21                            
像面        ∞   
非球面データ
第1面
K = 0.00000e+000  A 4=-1.10576e-004  A 6= 2.06235e-006  A 8=-1.50853e-008  A10=-7.03947e-012  A12= 3.84934e-013  
第2面
K = 0.00000e+000  A 4=-2.48819e-004  A 6= 1.96481e-007  A 8= 3.08055e-008  A10=-8.91568e-010  A12= 2.79094e-012  
第6面
K = 0.00000e+000  A 4=-2.25136e-005  A 6=-4.77262e-008  A 8= 4.38626e-009  A10= 1.47060e-009  A12=-4.34127e-011  
第7面
K = 0.00000e+000  A 4= 2.08723e-004  A 6=-1.75604e-006  A 8= 9.20248e-008  A10=-2.47667e-009  
第12面
K = 0.00000e+000  A 4= 2.86260e-004  A 6= 7.01962e-006  A 8= 4.81300e-007  A10=-1.58415e-009  
第13面
K = 0.00000e+000  A 4= 6.38635e-005  A 6=-3.37266e-007  A 8= 3.05350e-009  
第14面
K = 0.00000e+000  A 4= 1.61288e-004  A 6=-2.01179e-006  A 8= 1.45631e-008  A10=-4.51644e-011  
各種データ
ズーム比      3.22 
焦点距離       9.00    15.15    25.41    
Fナンバー      2.06     4.50     5.00     
画角          35.72    27.51    17.25      
像高           6.47     7.89     7.89      
レンズ全長      43.37    40.29    45.03    
BF             4.32     3.93     3.13     
d 4           16.60     7.06     1.50     
d12            7.83    14.29    24.59    
d14            2.39     2.00     1.20       
ズームレンズ群データ
群  始面    焦点距離  
1    1     -18.49  
2    5      14.73  
3   13      25.42  
（物体距離が近接撮像時（第１のフォーカス状態）
d 4           17.10     7.56     2.00    
d12            7.61    13.66    22.83    
d14            2.60     2.63     2.95      
（物体距離が近接撮像時（第２のフォーカス状態）
d 4            ----     ----    16.07 
d12            ----     ----     2.13 
d14            ----     ----     9.59
数値データ４
単位 mm
面データ
面番号       r        d      nd         vd                             
1*       553.957    1.00   1.85629    37.0           
2*         8.856    2.76                             
3         14.716    1.92   1.95906    17.5           
4         27.639  (可変)                             
5(絞り)    ∞       0.00                             
6*        12.459    2.31   1.75345    49.5           
7*       -64.745    0.20                             
8         14.513    3.13   1.90335    33.7           
9        -10.156    0.45   1.70428    25.5           
10          6.760    1.31                             
11       -201.692    0.96   1.76771    47.0           
12         10.000    2.06   1.49700    81.5           
13        -20.022    (可変)                                                     
14        502.470    3.70   1.54401    49.2           
15*       -17.291  (可変)                             
16          ∞       1.09   1.51633    64.1           
17          ∞       1.91                            
像面        ∞   
非球面データ
第1面
K = 0.00000e+000  A 4=-2.02180e-004  A 6= 4.13159e-006  A 8=-4.59500e-008  A10= 2.36711e-010  A12=-3.81840e-013  
第2面
K =-9.12034e-001  A 4=-1.54619e-004  A 6= 2.48647e-006  A 8= 4.60726e-008  A10=-1.50060e-009  A12= 1.06880e-011  
第6面
K =-3.28641e-001  A 4=-5.45149e-005  A 6= 3.80181e-007  A 8= 1.38555e-008  A10= 1.34817e-009  
第7面
K = 0.00000e+000  A 4= 1.43487e-004  A 6=-4.17867e-007  A 8= 1.82352e-007  A10=-4.41116e-009  A12= 8.73339e-011  
第15面
K = 0.00000e+000  A 4= 1.15027e-004  A 6=-1.14217e-006  A 8= 1.07014e-008  A10=-4.51253e-011  
各種データ
ズーム比      3.01 
焦点距離       9.08    16.79    25.61     
Fナンバー      2.06     4.50     5.00      
画角          35.95    25.19    17.15      
像高           6.59     7.90     7.90      
レンズ全長      40.74    39.71    44.97    
BF             7.47     7.29     7.88   
d 4           16.39     6.54     2.29    
d13            4.55    13.37    22.88    
d15            4.84     4.66     5.25     
ズームレンズ群データ
群  始面    焦点距離  
1    1     -17.53  
2    5      14.86  
3   14      30.80  
（物体距離が近接撮像時（第１のフォーカス状態）
d 4           16.39     6.54     2.29      
d13            4.36    12.74    21.57     
d15            5.03     5.29     6.56      
（物体距離が近接撮像時（第２のフォーカス状態）
d 4            ----     ----    10.08  
d13            ----     ----    12.94  
d15            ----     ----     7.60  
数値データ５
単位 mm
面データ
面番号       r        d      nd         vd                            
1*      2906.904    1.00   1.79320    43.4           
2*         7.716    2.72                             
3         14.524    1.98   1.95906    17.5           
4         30.089  (可変)                             
5(絞り)    ∞       0.00                             
6*        12.493    2.34   1.79258    34.8           
7*       -52.257    0.20                             
8         31.532    2.16   1.94280    31.6           
9        -16.618    0.45   1.68879    26.1           
10          9.000    1.76                             
11        -14.389    0.45   1.68836    26.2           
12         18.144    2.40   1.55607    70.1           
13         -9.409    (可変)                                                              
14         20.744    3.50   2.00100    29.1           
15*       155.174  (可変)                             
16          ∞       1.09   1.51633    64.1           
17          ∞       1.91                            
像面        ∞   
非球面データ
第1面
K = 0.00000e+000  A 4=-1.53643e-004  A 6= 3.06579e-006  A 8=-3.78851e-008  A10= 2.28678e-010  A12=-5.04332e-013  
第2面
K =-8.94024e-001  A 4=-1.13754e-004  A 6= 5.68970e-007  A 8= 6.82487e-008  A10=-1.84699e-009  A12= 1.35828e-011  
第6面
K = 5.73414e-002  A 4=-1.35795e-005  A 6=-1.40705e-006  A 8= 1.18820e-007  A10=-1.63749e-009  
第7面
K = 0.00000e+000  A 4= 2.08243e-004  A 6=-3.65331e-006  A 8= 3.57047e-007  A10=-1.08403e-008  A12= 1.24920e-010  
第15面
K = 0.00000e+000  A 4= 1.67297e-005  A 6=-2.06786e-007  A 8= 9.21793e-010  A10=-1.10028e-012  
各種データ
ズーム比      3.02 
焦点距離       9.06    16.79    25.82    
Fナンバー      2.06     4.50     5.00     
画角          36.02    25.19    17.01  
像高           6.59     7.90     7.90     
レンズ全長      45.86    49.50    59.01    
BF             6.27     5.26     4.63     
d 4           14.86     6.13     2.29   
d13           12.04    24.41    37.76    
d15            3.64     2.63     2.00     
ズームレンズ群データ
群  始面    焦点距離  
1    1     -16.83  
2    5      17.03  
3   14      23.61  
（物体距離が近接撮像時（第１のフォーカス状態）
d 4           14.86     6.13     2.29    
d13           11.90    24.19    36.54      
d15            3.78     3.143    3.22       
（物体距離が近接撮像時（第２のフォーカス状態）
d 4             ----     ----    11.38
d13             ----     ----    17.61
d15             ----     ----     5.36
数値データ６
単位 mm
面データ
面番号       r        d      nd         vd
1*       407.372    1.00   1.68113    57.5           
2*         8.094    4.15                             
3         15.008    1.81   1.98167    21.1           
4         21.713  (可変)                             
5(絞り)    ∞       0.00                             
6*        12.410    2.54   1.78494    44.5           
7*       -80.089    0.20                             
8         32.107    2.07   2.00100    29.1           
9        -42.292    0.45   1.66867    28.5           
10          9.000    1.88                             
11        -17.214    0.50   1.64292    31.3           
12         11.812    3.15   1.61198    63.2           
13        -12.275    (可変)                                    
14        106.327    1.77   1.72907    54.7           
15*       769.886  (可変)                             
16         22.226    3.50   1.72916    54.7           
17       1000.000  (可変)                             
18          ∞       1.09   1.51633    64.1           
19          ∞       1.91                            
像面        ∞   
非球面データ
第1面
K = 0.00000e+000  A 4=-1.83208e-004  A 6= 3.92526e-006  A 8=-4.60324e-008  A10= 2.70288e-010  A12=-6.20906e-013  
第2面
K =-9.17119e-001  A 4=-1.36866e-004  A 6= 1.97447e-006  A 8= 5.21098e-008  A10=-1.48161e-009  A12= 9.99612e-012  
第6面
K = 4.78368e-002  A 4=-1.06149e-005  A 6=-6.62918e-007  A 8= 6.00191e-008  A10=-1.62159e-010  
第7面
K = 0.00000e+000  A 4= 1.43692e-004  A 6=-1.79534e-006  A 8= 1.69667e-007  A10=-3.61456e-009  A12= 3.87403e-011  
第15面
K = 0.00000e+000  A 4= 1.04084e-005  A 6=-1.60354e-007  A 8= 1.84620e-009  A10=-8.87540e-012  
各種データ
ズーム比      3.02 
焦点距離       9.06    16.79    25.72    
Fナンバー      2.06     4.50     5.00    
画角          36.01    25.19    17.07    
像高           6.59     7.90     7.90     
レンズ全長      53.48    54.35    62.75    
BF             5.75     5.43     5.02     
d 4           18.33     7.15     2.29    
d13            7.52    21.92    32.36    
d15            4.61     2.26     5.08     
d17            3.12     2.80     2.39     
ズームレンズ群データ
群  始面    焦点距離  
1    1     -18.15  
2    5      18.64  
3   14     169.02  
4   16      31.13  
（物体距離が近接撮像時（第１のフォーカス状態）
d 4           18.33     7.15     2.29    
d13            7.52    21.92    32.36    
d15            4.43     1.64     3.65    
d17            3.30     3.42     3.83     
（物体距離が近接撮像時（第２のフォーカス状態）
d 4            --.--    --.--    10.64  
d13           --.--    --.--     23.69  
d15           --.--    --.--      3.17  
d17           --.--    --.--      2.64       
【００９４】
【表１】
2020003631.tif 000003
【符号の説明】
【００９５】
Ｂ１  第１レンズ群
Ｌｐａ  第２レンズ群
Ｌｐｂ  最終レンズ群
ＬＲ  後群
【図１】
2020003631.tif 000004
【図２】
2020003631.tif 000005
【図３】
2020003631.tif 000006
【図４】
2020003631.tif 000007
【図５】
2020003631.tif 000008
【図６】
2020003631.tif 000009
【図７】
2020003631.tif 000010
【図８】
2020003631.tif 000011
【図９】
2020003631.tif 000012
【図１０】
2020003631.tif 000013
【図１１】
2020003631.tif 000014
【図１２】
2020003631.tif 000015
【図１３】
2020003631.tif 000016
【図１４】
2020003631.tif 000017
【図１５】
2020003631.tif 000018
【図１６】
2020003631.tif 000019
【図１７】
2020003631.tif 000020
【図１８】
2020003631.tif 000021
【図１９】
2020003631.tif 000022
【図２０】
2020003631.tif 000023
【図２１】
2020003631.tif 000024
【図２２】
2020003631.tif 000025
【図２３】
2020003631.tif 000026
【図２４】
2020003631.tif 000027
【図２５】
2020003631.tif 000028